【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
高効率なワイヤレス周波数分割多重化のための方法であって、
第２の基本サービスセット（ＢＳＳ）におけるワイヤレスデバイスの第１のセットと通信するために１次周波数チャネルが使用され、前記第２のＢＳＳにおけるワイヤレスデバイスの第２のセットと通信するために３元周波数チャネルが使用されることを示す前記第２のＢＳＳにおけるアクセスポイントから協調パケットを受信することと、
前記協調パケットを受信したことに応答して、前記１次周波数チャネルを使用して第１のＢＳＳにおけるワイヤレスデバイスの第１のサブセットに第１のパケットを送信することと、
前記協調パケットを受信したことに応答して、前記３元周波数チャネルを使用して前記第２のＢＳＳにおける前記アクセスポイントによって前記第２のＢＳＳにおけるワイヤレスデバイスの前記第２のセットに送信される第３のパケットに干渉することを回避するために前記３元周波数チャネルの代わりに２次周波数チャネルを使用して前記第１のＢＳＳにおけるワイヤレスデバイスの第２のサブセットに第２のパケットを送信することと、
を備える方法。
【請求項２】
ワイヤレスデバイスの前記第２のサブセットに分類されるよう求める要求を、前記第１のＢＳＳにおける第１のワイヤレスデバイスから受信することをさらに備える、請求項１に記載の方法。
【請求項３】
前記第１のＢＳＳにおける第１のワイヤレスデバイスは高効率なワイヤレス構成要素を備え、前記第１のＢＳＳにおける第２のワイヤレスデバイスは高効率なワイヤレス構成要素を備えない、請求項１に記載の方法。
【請求項４】
前記第２のワイヤレスデバイスの帯域幅能力でワイヤレスデバイスの前記第１のサブセットに第２のワイヤレスデバイスを分類することをさらに備える、請求項３に記載の方法。
【請求項５】
前記１次チャネル周波数および前記２次周波数チャネルは、動作帯域幅において隣接している、請求項１に記載の方法。
【請求項６】
前記１次チャネル周波数および前記２次周波数チャネルは、動作帯域幅において隣接していない、請求項１に記載の方法。
【請求項７】
前記第２の周波数チャネルは前記１次周波数チャネルのサブセットである、請求項１に記載の方法。
【請求項８】
第２のパケットを送信することは、前記第２のＢＳＳにおける前記アクセスポイントが前記３元周波数チャネルを使用して前記第２のＢＳＳにおけるワイヤレスデバイスの前記第２のセットに前記第３のパケットを送信するのと同時に、前記第２のパケットを送信することを備える、請求項１に記載の方法。
【請求項９】
前記第２のパケットおよび前記第３のパケットの送信の時間をスケジュールすることをさらに備える、請求項８に記載の方法。
【請求項１０】
第１のパケットを送信することは、前記第２のＢＳＳにおける前記アクセスポイントが前記１次周波数チャネルを使用して前記第２のＢＳＳにおけるワイヤレスデバイスの前記第１のセットに第４のパケットを送信するのと同時に、前記第１のパケットを送信することを備える、請求項１に記載の方法。
【請求項１１】
前記第１のパケットおよび前記第４のパケットの送信の時間をスケジュールすることをさらに備える、請求項１０に記載の方法。
【請求項１２】
第１のパケットを送信することと、第２のパケットを送信することとは、前記第１のパケットと前記第２のパケットとを同時に送信することを備える、請求項１に記載の方法。
【請求項１３】
第１のパケットを送信することは、第１の時間に前記第１のパケットを送信することを備え、第２のパケットを送信することは、前記第１の時間の後の第２の時間に前記第２のパケットを送信することを備える、請求項１に記載の方法。
【請求項１４】
ワイヤレスデバイスの前記第１のサブセットは、前記２次周波数チャネルを介して通信するように構成されていない、請求項１に記載の方法。
【請求項１５】
前記第１のＢＳＳにおける各ワイヤレスデバイスのパフォーマンス特性を決定することと、
前記パフォーマンス特性に基づいて、前記第１のＢＳＳにおける１つまたは複数のワイヤレスデバイスを、前記第１のＢＳＳにおけるワイヤレスデバイスの前記第１のサブセットに分類することと、
をさらに備える、請求項１に記載の方法。
【請求項１６】
前記第１のＢＳＳにおける１つまたは複数のワイヤレスデバイスを分類することは、前記それぞれのワイヤレスデバイスの前記パフォーマンス特性が前記それぞれのワイヤレスデバイスがしきい値未満の干渉に直面していることを示す場合に、ワイヤレスデバイスの前記第１のサブセットに前記第１のＢＳＳにおける１つまたは複数のワイヤレスデバイスを、分類することを備える、請求項１５に記載の方法。
【請求項１７】
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、請求項１５に記載の方法。
【請求項１８】
ワイヤレスデバイスの前記第１のサブセットは、ワイヤレスデバイスの前記第２のサブセットよりも低い干渉を有する、請求項１７に記載の方法。
【請求項１９】
下記を具備する高効率なワイヤレス周波数分割多重化のための装置；
第２の基本サービスセット（ＢＳＳ）におけるワイヤレスデバイスの第１のセットと通信するために１次周波数チャネルが使用され、前記第２のＢＳＳにおけるワイヤレスデバイスの第２のセットと通信するために３元周波数チャネルが使用されることを示す前記第２のＢＳＳにおけるアクセスポイントから協調パケットを受信するための手段と、
前記協調パケットを受信したことに応答して、前記１次周波数チャネルを使用して第１のＢＳＳにおけるワイヤレスデバイスの第１のサブセットに第１のパケットを送信するための手段と、
前記協調パケットを受信したことに応答して、前記第２のＢＳＳにおける前記アクセスポイントによって前記第２のＢＳＳにおけるワイヤレスデバイスの前記第２のセットに送信される第３のパケットに干渉することを回避するために前記３元周波数チャネルの代わりに２次周波数チャネルを使用して前記第１のＢＳＳにおけるワイヤレスデバイスの第２のサブセットに第２のパケットを送信するための手段。
【請求項２０】
ワイヤレスデバイスの前記第２のサブセットに分類されるよう求める要求を、前記第１のＢＳＳにおける第１のワイヤレスデバイスから受信するための手段をさらに備える、請求項１９に記載の装置。
【請求項２１】
前記１次チャネル周波数および前記２次周波数チャネルは、動作帯域幅において隣接している、請求項１９に記載の装置。
【請求項２２】
前記１次チャネル周波数および前記２次周波数チャネルは、動作帯域幅において隣接していない、請求項１９に記載の装置。
【請求項２３】
第１のパケットを送信するための手段と、第２のパケットを送信するための手段は、前記第１のパケットと前記第２のパケットとを同時に送信するための手段を備える、請求項１９に記載の装置。
【請求項２４】
第１のパケットを送信するための手段は、第１の時間に前記第１のパケットを送信するための手段を備え、第２のパケットを送信するための手段は、前記第１の時間の後の第２の時間に前記第２のパケットを送信するための手段を備える、請求項１９に記載の装置。
【請求項２５】
ワイヤレスデバイスの前記第１のサブセットは、前記２次周波数チャネルを介して通信するように構成されていない、請求項１９に記載の装置。
【請求項２６】
前記第１のＢＳＳにおける各ワイヤレスデバイスのパフォーマンス特性を決定するための手段と、
前記パフォーマンス特性に基づいて、前記第１のＢＳＳにおける１つまたは複数のワイヤレスデバイスを、ワイヤレスデバイスの前記第１のサブセットに分類するための手段と、
をさらに備える、請求項１９に記載の装置。
【請求項２７】
前記第１のＢＳＳにおける１つまたは複数のワイヤレスデバイスを分類するための手段は、前記それぞれのワイヤレスデバイスの前記パフォーマンス特性が前記それぞれのワイヤレスデバイスがしきい値未満の干渉に直面していることを示す場合に、ワイヤレスデバイスの前記第１のサブセットに前記第１のＢＳＳにおける１つまたは複数のワイヤレスデバイスを、分類するための手段を備える、請求項２６に記載の装置。
【請求項２８】
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、請求項２６に記載の装置。
【請求項２９】
決定するための前記手段と、分類するための前記手段とは、分類器ユニットを備え、前記第１のサブセットに複数のパケットを送信するための前記手段と、前記第２のサブセットに複数のパケットを送信するための前記手段は、送信機を備える、請求項２６に記載の装置。
【請求項３０】
実行されたときに装置に、
第２の基本サービスセット（ＢＳＳ）におけるワイヤレスデバイスの第１のセットと通信するために１次周波数チャネルが使用され、前記第２のＢＳＳにおけるワイヤレスデバイスの第２のセットと通信するために３元周波数チャネルが使用されることを示す前記第２のＢＳＳにおけるアクセスポイントから協調パケットを受信することと、
前記協調パケットを受信したことに応答して、前記１次周波数チャネルを使用して第１のＢＳＳにおけるワイヤレスデバイスの第１のサブセットに第１のパケットを送信することと、
前記協調パケットを受信したことに応答して、前記第２のＢＳＳにおける前記アクセスポイントによって前記第２のＢＳＳにおけるワイヤレスデバイスの前記第２のセットに送信される第３のパケットに干渉することを回避するために前記３元周波数チャネルの代わりに前記２次周波数チャネルを使用して前記第１のＢＳＳにおけるワイヤレスデバイスの第２のサブセットに第２のパケットを送信することと、
を行わせるコードを備える非一時的コンピュータ可読媒体。
【請求項３１】
実行されたときに、装置に、ワイヤレスデバイスの前記第２のサブセットに分類されるように求める要求を、前記第１のＢＳＳにおける第１のワイヤレスデバイスから受信することを行わせるコードをさらに備える、請求項３０に記載の媒体。
【請求項３２】
前記１次チャネル周波数および前記２次周波数チャネルは、動作帯域幅において隣接している、請求項３０に記載の媒体。
【請求項３３】
前記１次チャネル周波数および前記２次周波数チャネルは、動作帯域幅において隣接していない、請求項３０に記載の媒体。
【請求項３４】
実行されたときに、装置に、前記第１のパケットと前記第２のパケットとを同時に送信することを行わせるコードをさらに備える、請求項３０に記載の媒体。
【請求項３５】
実行されたときに、装置に、
第１の時間に前記第１のパケットを送信することと、
前記第１の時間の後の第２の時間に前記第２のパケットを送信することと
を行わせるコードをさらに備える、請求項３０に記載の媒体。
【請求項３６】
ワイヤレスデバイスの前記第１のサブセットは、前記２次周波数チャネルを介して通信するように構成されていない、請求項３０に記載の媒体。
【請求項３７】
実行されたときに、装置に、
前記第１のＢＳＳにおける各ワイヤレスデバイスのパフォーマンス特性を決定することと、
前記パフォーマンス特性に基づいて、前記第１のＢＳＳにおける１つまたは複数のワイヤレスデバイスを、ワイヤレスデバイスの前記第１のサブセットに分類することと、
を行わせるコードをさらに備える、請求項３０に記載の媒体。
【請求項３８】
実行されたときに、装置に、前記それぞれのワイヤレスデバイスの前記パフォーマンス特性が前記それぞれのワイヤレスデバイスがしきい値未満の干渉に直面していることを示す場合に、ワイヤレスデバイスの前記第１のサブセットに、前記第１のＢＳＳにおける１つまたは複数のワイヤレスデバイスを分類することを行わせるコードをさらに備える、請求項３７に記載の媒体。
【請求項３９】
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、請求項３７に記載の媒体。
【請求項４０】
高効率なワイヤレス周波数分割多重化のための装置であって、
第２の基本サービスセット（ＢＳＳ）におけるワイヤレスデバイスの第１のセットと通信するために１次周波数チャネルが使用され、前記第２のＢＳＳにおけるワイヤレスデバイスの第２のセットと通信するために３元周波数チャネルが使用されることを示す前記第２のＢＳＳにおけるアクセスポイントから協調パケットを受信するように構成された受信機と、
前記協調パケットを受信したことに応答して、前記１次周波数チャネルを使用して第１のＢＳＳにおけるワイヤレスデバイスの第１のサブセットに第１のパケットを送信するように構成された送信機と、前記送信機は、前記協調パケットを受信したことに応答して、前記第２のＢＳＳにおける前記アクセスポイントによって前記第２のＢＳＳにおけるワイヤレスデバイスの前記第２のセットに送信される第３のパケットに干渉することを回避するために前記３元周波数チャネルの代わりに前記２次周波数チャネルを使用して前記第１のＢＳＳにおけるワイヤレスデバイスの第２のサブセットに第２のパケットを送信するようにさらに構成される、
を備える装置。
【請求項４１】
ワイヤレスデバイスの前記第２のサブセットに分類されるよう求める要求を、前記第１のＢＳＳにおける第１のワイヤレスデバイスから受信するように構成された受信機をさらに備える、請求項４０に記載の装置。
【請求項４２】
前記１次チャネル周波数および前記２次周波数チャネルは、動作帯域幅において隣接している、請求項４０に記載の装置。
【請求項４３】
前記１次チャネル周波数および前記２次周波数チャネルは、動作帯域幅において隣接していない、請求項４０に記載の装置。
【請求項４４】
前記第２の周波数チャネルは前記１次周波数チャネルのサブセットである、請求項４０に記載の装置。
【請求項４５】
前記送信機は、前記第２のＢＳＳにおける前記アクセスポイントが前記３元周波数チャネルを使用して前記第２のＢＳＳにおけるワイヤレスデバイスの前記第２のセットに前記第３のパケットを送信するのと同時に、前記第２のパケットを送信するようにさらに構成される、請求項４０に記載の装置。
【請求項４６】
前記第２のパケットおよび前記第３のパケットの送信の時間をスケジュールするように構成されたプロセッサをさらに備える、請求項４５に記載の装置。
【請求項４７】
前記送信機は、前記第２のＢＳＳにおける前記アクセスポイントが前記１次周波数チャネルを使用して前記第２のＢＳＳにおけるワイヤレスデバイスの前記第１のセットに第４のパケットを送信するのと同時に、前記第１のパケットを送信するようにさらに構成される、請求項４０に記載の装置。
【請求項４８】
前記第１のパケットおよび前記第４のパケットの送信の時間をスケジュールするように構成されたプロセッサをさらに備える、請求項４７に記載の装置。
【請求項４９】
前記送信機は、前記第１のパケットと前記第２のパケットとを同時に送信するようにさらに構成される、請求項４０に記載の装置。
【請求項５０】
前記送信機は、第１の時間に前記第１のパケットを送信し、前記第１の時間の後の第２の時間に前記第２のパケットを送信するようにさらに構成される、請求項４０に記載の媒体。
【請求項５１】
ワイヤレスデバイスの前記第１のサブセットは、前記２次周波数チャネルを介して通信するように構成されていない、請求項４０に記載の媒体。
【請求項５２】
前記第１のＢＳＳにおける各ワイヤレスデバイスのパフォーマンス特性を決定し、
前記パフォーマンス特性に基づいて、前記第１のＢＳＳにおける１つまたは複数のワイヤレスデバイスを、ワイヤレスデバイスの前記第１のサブセットに分類する、
ように構成される分類器ユニットをさらに備える、請求項４０に記載の装置。
【請求項５３】
前記分類器ユニットは、前記それぞれのワイヤレスデバイスの前記パフォーマンス特性が前記それぞれのワイヤレスデバイスがしきい値未満の干渉に直面していることを示す場合に、ワイヤレスデバイスの前記第１のサブセットに前記第１のＢＳＳにおける１つまたは複数のワイヤレスデバイスを分類するようにさらに構成される、請求項５２に記載の装置。
【請求項５４】
前記第１のＢＳＳにおける第１のワイヤレスデバイスは高効率なワイヤレス構成要素を備え、前記第１のＢＳＳにおける第２のワイヤレスデバイスは高効率なワイヤレス構成要素を備えない、請求項５２に記載の装置。
【請求項５５】
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、請求項５２に記載の装置。
【請求項５６】
ワイヤレスデバイスの前記第１のサブセットはワイヤレスデバイスの前記第２のサブセットよりも低い干渉を有する、請求項５５に記載の装置。
【請求項５７】
前記分類器ユニットは、前記第２のワイヤレスデバイスの帯域幅能力に基づいてワイヤレスデバイスの前記第１のサブセットに前記第２のワイヤレスデバイスを分類するようにさらに構成される、請求項５４に記載の装置。
【手続補正２】
【補正対象書類名】明細書
【補正対象項目名】０１４１
【補正方法】変更
【補正の内容】
【０１４１】
[00161]上記の説明は、本開示の態様を対象としたものであるが、本開示の基本的な範囲を逸脱することなく、本開示の他の態様およびさらなる態様も考案され得、本開示の範囲は、以下の特許請求の範囲によって決定される。
以下に、本願出願の当初の特許請求の範囲に記載された発明を付記する。
［Ｃ１］
高効率なワイヤレス周波数分割多重化のための方法であって、
第１の基本サービスセット（ＢＳＳ）における各ワイヤレスデバイスのパフォーマンス特性を決定することと、
前記パフォーマンス特性に基づいて、前記第１のＢＳＳにおける各ワイヤレスデバイスを、ワイヤレスデバイスの第１のサブセットまたは第２のサブセットのワイヤレスデバイスに分類することと、
１次周波数チャネルを使用してワイヤレスデバイスの前記第１のサブセットに第１のパケットを送信することと、
２次周波数チャネルを使用して前記第２のサブセットのワイヤレスデバイスに第２のパケットを送信することと、
前記２次周波数チャネルが前記第２のサブセットのワイヤレスデバイスと通信するために使用されることを示す第２のＢＳＳにおけるアクセスポイントに協調パケットを送信することとであつて、前記１次周波数チャネルを使用して前記第２のＢＳＳにおける前記第２のＢＳＳにおけるワイヤレスデバイスの第１のセットに第３のパケットを送信し、前記協調パケットを受信したことに応答して、３元周波数チャネルを使用して前記第２のＢＳＳにおけるワイヤレスデバイスの第２のセットに第４のパケットを送信する、
を備える方法。
［Ｃ２］
前記第１のＢＳＳにおける各ワイヤレスデバイスを分類することは、前記それぞれのワイヤレスデバイスの前記パフォーマンス特性が前記それぞれのワイヤレスデバイスがしきい値よりも大きい干渉に直面していることを示す場合に、前記第２のサブセットのワイヤレスデバイスに前記第１のＢＳＳにおける各ワイヤレスデバイスを、分類することを備える、Ｃ１に記載の方法。
［Ｃ３］
前記第２のサブセットのワイヤレスデバイスに分類されるよう求める要求を、前記第１のＢＳＳにおける第１のワイヤレスデバイスから受信することをさらに備える、Ｃ１に記載の方法。
［Ｃ４］
前記第１のＢＳＳにおける第１のワイヤレスデバイスは高効率なワイヤレス構成要素を備え、前記第１のＢＳＳにおける第２のワイヤレスデバイスは高効率なワイヤレス構成要素を備えない、Ｃ１に記載の方法。
［Ｃ５］
前記第２のワイヤレスデバイスの帯域幅能力に基づいて前記第２のサブセットのワイヤレスデバイスを又は前記第１のサブセットのワイヤレスデバイス中の第２のワイヤレスデバイスを分類することをさらに備える、Ｃ４に記載の方法。
［Ｃ６］
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、Ｃ１に記載の方法。
［Ｃ７］
ワイヤレスデバイスの前記第１のサブセットは、ワイヤレスデバイスの前記第２のサブセットよりも低い干渉を有する、Ｃ６に記載の方法。
［Ｃ８］
前記１次チャネル周波数および前記２次周波数チャネルは、動作帯域幅において隣接している、Ｃ１に記載の方法。
［Ｃ９］
前記１次チャネル周波数および前記２次周波数チャネルは、動作帯域幅において隣接していない、Ｃ１に記載の方法。
［Ｃ１０］
前記２次周波数チャネルは前記１次周波数チャネルのサブセットである、Ｃ１に記載の方法。
［Ｃ１１］
第２のパケットを送信することは、前記アクセスポイントが前記３元周波数チャネルを使用して前記第２のＢＳＳにおけるワイヤレスデバイスの前記第２のセットに第４のパケットを送信するのと同時に、前記第２のパケットを送信することを備える、Ｃ１に記載の方法。
［Ｃ１２］
前記第２のパケットおよび前記第４のパケットの送信の時間をスケジュールすることをさらに備える、Ｃ１１に記載の方法。
［Ｃ１３］
第１のパケットを送信することは、前記アクセスポイントが前記１次周波数チャネルを使用して前記第２のＢＳＳにおけるワイヤレスデバイスの前記第１のセットに第３のパケットを送信するのと同時に、前記第１のパケットを送信することを備える、Ｃ１に記載の方法。
［Ｃ１４］
前記第１のパケットおよび前記第３のパケットの送信の時間をスケジュールすることをさらに備える、Ｃ１３に記載の方法。
［Ｃ１５］
第１のパケットを送信することと、第２のパケットを送信することとは、前記第１のパケットと前記第２のパケットとを同時に送信することを備える、Ｃ１に記載の方法。
［Ｃ１６］
第１のパケットを送信することは、第１の時間に前記第１のパケットを送信することを備え、第２のパケットを送信することは、前記第１の時間の後の第２の時間に前記第２のパケットを送信することを備える、Ｃ１に記載の方法。
［Ｃ１７］
ワイヤレスデバイスの前記第１のサブセットは、前記２次周波数チャネルを介して通信するように構成されていない、Ｃ１に記載の方法。
［Ｃ１８］
下記を具備する高効率なワイヤレス周波数分割多重化のための装置；
第１の基本サービスセット（ＢＳＳ）における各ワイヤレスデバイスのパフォーマンス特性を決定するための手段と、
前記パフォーマンス特性に基づいて第２のサブセットのワイヤレスデバイスを、又は第１のサブセットのワイヤレスデバイスに前記第１のＢＳＳにおける各ワイヤレスデバイスを分類するための手段と、
１次周波数チャネルを使用してワイヤレスデバイスの前記第１のサブセットに第１のパケットを送信するための手段と、
２次周波数チャネルを使用して前記第２のサブセットのワイヤレスデバイスに第２のパケットを送信するための手段と、および
前記２次周波数チャネルが前記第２のサブセットのワイヤレスデバイスと通信するために使用されることを示す第２のＢＳＳにおけるアクセスポイントに協調パケットを、送信するための手段であって、前記第２のＢＳＳにおける前記アクセスポイントは、前記協調パケットを受信したことに応答して、３元周波数チャネルを使用して前記第２のＢＳＳにおけるワイヤレスデバイスの第２のセットに第４のパケットを送信し、及び前記一次周波数チャネルを使用して前記第２のＢＳＳにおけるワイヤレスデバイスの第１のセットに第３のパケットを送信する、
を備える装置。
［Ｃ１９］
前記第１のＢＳＳにおける各ワイヤレスデバイスを分類するための手段は、前記それぞれのワイヤレスデバイスの前記パフォーマンス特性が前記それぞれのワイヤレスデバイスがしきい値よりも大きい干渉に直面していることを示す場合に、ワイヤレスデバイスの前記第２のサブセットに前記第１のＢＳＳにおける各ワイヤレスデバイスを、分類するための手段を備える、Ｃ１８に記載の装置。
［Ｃ２０］
前記第２のサブセットのワイヤレスデバイスに分類されるよう求める要求を、前記第１のＢＳＳにおける第１のワイヤレスデバイスから受信するための手段をさらに備える、Ｃ１８に記載の装置。
［Ｃ２１］
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、Ｃ１８に記載の装置。
［Ｃ２２］
前記１次チャネル周波数および前記２次周波数チャネルは、動作帯域幅において隣接している、Ｃ１８に記載の装置。
［Ｃ２３］
前記１次チャネル周波数および前記２次周波数チャネルは、動作帯域幅において隣接していない、Ｃ１８に記載の装置。
［Ｃ２４］
第１のパケットを送信するための手段と、第２のパケットを送信するための手段は、前記第１のパケットと前記第２のパケットとを同時に送信するための手段を備える、Ｃ１８に記載の装置。
［Ｃ２５］
第１のパケットを送信するための手段は、第１の時間に前記第１のパケットを送信するための手段を備え、第２のパケットを送信するための手段は、前記第１の時間の後の第２の時間に前記第２のパケットを送信するための手段を備える、Ｃ１８に記載の装置。
［Ｃ２６］
ワイヤレスデバイスの前記第１のサブセットは、前記２次周波数チャネルを介して通信するように構成されていない、Ｃ１８に記載の装置。
［Ｃ２７］
決定するための前記手段と、分類するための前記手段とは、分類器ユニットを備え、前記第１のサブセットに複数のパケットを送信するための前記手段と、前記第２のサブセットに複数のパケットを送信するための前記手段と、前記協調パケットを送信するための前記手段とは、送信機を備える、Ｃ１８に記載の装置。
［Ｃ２８］
実行されたときに装置に、  第１の基本サービスセット（ＢＳＳ）における各ワイヤレスデバイスのパフォーマンス特性を決定することと、
前記パフォーマンス特性に基づいて、前記第２のサブセットのワイヤレスデバイス又は第１のサブセットのワイヤレスデバイス中に前記第１のＢＳＳにおける各ワイヤレスデバイスを分類することと、
１次周波数チャネルを使用して前記第１のサブセットのワイヤレスデバイスに第２のパケットのパケットを送信することと、
２次周波数チャネルを使用して第２のサブセットのワイヤレスデバイスに第３のパケットを送信することと、
２次周波数チャネルがワイヤレスデバイスの第２のサブセットと通信するために使用されることを示す、第２のＢＳＳにおけるアクセスポイントに協調パケットを送信することと、前記第２のＢＳＳにおける前記アクセスポイントは、前記１次周波数チャネルを使用して前記第２のＢＳＳにおけるワイヤレスデバイスの第１のセットに第３のパケットを送信し、前記協調パケットを受信したことに応答して、３元周波数チャネルを使用して前記第２のＢＳＳにおけるワイヤレスデバイスの第２のセットに第４のパケットを送信する、
を行わせるコードを備える非一時的コンピュータ可読媒体。
［Ｃ２９］
実行されたときに、装置に、前記それぞれのワイヤレスデバイスの前記パフォーマンス特性が前記それぞれのワイヤレスデバイスがしきい値よりも大きい干渉に直面していることを示す場合に、前記第２のサブセットのワイヤレスデバイスのに、前記第一のＢＳＳにおける各ワイヤレスデバイスを分類することを行わせるコードをさらに備える、Ｃ２８に記載の媒体。
［Ｃ３０］
実行されたときに、装置に、前記第２のサブセットのワイヤレスデバイスに分類されるように求める要求を、前記第１のＢＳＳにおける第１のワイヤレスデバイスから受信することを行わせるコードをさらに備える、Ｃ２８に記載の媒体。
［Ｃ３１］
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、Ｃ２８に記載の媒体。
［Ｃ３２］
前記１次チャネル周波数および前記２次周波数チャネルは、動作帯域幅において隣接している、Ｃ２８に記載の媒体。
［Ｃ３３］
前記１次チャネル周波数および前記２次周波数チャネルは、動作帯域幅において隣接していない、Ｃ２８に記載の媒体。
［Ｃ３４］
実行されたときに、装置に、前記第１のパケットと前記第２のパケットとを同時に送信することを行わせるコードをさらに備える、Ｃ２８に記載の媒体。
［Ｃ３５］
実行されたときに、装置に、
第１の時間に前記第１のパケットを送信することと、
前記第１の時間の後の第２の時間に前記第２のパケットを送信することと
を行わせるコードをさらに備える、Ｃ２８に記載の媒体。
［Ｃ３６］
ワイヤレスデバイスの前記第１のサブセットは、前記２次周波数チャネルを介して通信するように構成されていない、Ｃ２８に記載の媒体。
［Ｃ３７］
高効率なワイヤレス周波数分割多重化のための装置であって、
第１の基本サービスセット（ＢＳＳ）における各ワイヤレスデバイスのパフォーマンス特性を決定するように構成された分類器ユニットと、前記分類器ユニットは、前記パフォーマンス特性に基づいて、第２サブセットのワイヤレスデバイスまたは第１のサブセットのワイヤレスデバイスに、前記第１のＢＳＳにおける各ワイヤレスデバイスを分類するためにさらに構成される、
１次周波数チャネルを使用して前記第１のサブセットのワイヤレスデバイスのに第１のパケットを送信するように構成された送信機と、前記送信機は、２次周波数チャネルを使用して前記第２のサブセットのワイヤレスデバイスに第２のパケットを送信するようににさらに構成され、前記送信機は、前記２次周波数チャネルが前記第２のサブセットのワイヤレスデバイスと通信するために使用されることを示す協調パケットを、第２のＢＳＳにおけるアクセスポイントに送信するようにさらに構成され、前記第２のＢＳＳにおける前記アクセスポイントは、前記１次周波数チャネルを使用して前記第２のＢＳＳにおける第１のセットのワイヤレスデバイスに第３のパケットを送信し、および前記協調パケットを受信したことに応答して３元周波数チャネルを使用して前記第２のＢＳＳにおけるワイヤレスデバイスの第２のセットに第４のパケットを送信する、
を備える装置。
［Ｃ３８］
前記分類器ユニットは、前記それぞれのワイヤレスデバイスの前記パフォーマンス特性が前記それぞれのワイヤレスデバイスがしきい値よりも大きい干渉に直面していることを示す場合に、前記第２のサブセットのワイヤレスデバイスに前記第一のＢＳＳにおける各ワイヤレスデバイスを分類するようにさらに構成される、Ｃ３７に記載の装置。
［Ｃ３９］
前記第２のサブセットのワイヤレスデバイスに分類されるよう求める要求を、前記第１のＢＳＳにおける第１のワイヤレスデバイスから受信するように構成された受信機をさらに備える、Ｃ３７に記載の装置。
［Ｃ４０］
前記第１のＢＳＳにおける第１のワイヤレスデバイスは高効率なワイヤレス構成要素を備え、前記第１のＢＳＳにおける第２のワイヤレスデバイスは高効率なワイヤレス構成要素を備えない、Ｃ３７に記載の装置。
［Ｃ４１］
前記分類器ユニットは、前記第２のワイヤレスデバイスの帯域幅能力に基づいて第２のサブセットのワイヤレスデバイスまたは前記第１のサブセットのワイヤレスデバイス中の前記第２のワイヤレスデバイスを分類するようにさらに構成される、Ｃ４０に記載の装置。
［Ｃ４２］
前記パフォーマンス特性は、信号対干渉プラス雑音比（ＳＩＮＲ）、ＲＦ形状、受信信号強度インジケータ（ＲＳＳＩ）、変調およびコーディング方式（ＭＣＳ）値、干渉レベル、信号レベル、送信能力、またはそれらの組合せのうちの少なくとも１つを備える、Ｃ３７に記載の装置。
［Ｃ４３］
前記第１のサブセットのワイヤレスデバイスのは前記第２のサブセットのワイヤレスデバイスよりも低い干渉を有する、Ｃ４２に記載の装置。
［Ｃ４４］
前記１次チャネル周波数および前記２次周波数チャネルは、動作帯域幅において隣接している、Ｃ３７に記載の装置。
［Ｃ４５］
前記１次チャネル周波数および前記２次周波数チャネルは、動作帯域幅において隣接していない、Ｃ３７に記載の装置。
［Ｃ４６］
前記第２の周波数チャネルは前記１次周波数チャネルのサブセットである、Ｃ３７に記載の装置。
［Ｃ４７］
前記送信機は、前記アクセスポイントが前記３元周波数チャネルを使用して前記第２のＢＳＳにおける前記第２のセットのワイヤレスデバイスに第４のパケットを送信するのと同時に、前記第２のパケットを送信するようにさらに構成される、Ｃ３７に記載の装置。
［Ｃ４８］
前記第２のパケットおよび前記第４のパケットの送信の時間をスケジュールするように構成されたプロセッサをさらに備える、Ｃ４７に記載の装置。
［Ｃ４９］
前記送信機は、前記アクセスポイントが前記１次周波数チャネルを使用して前記第２のＢＳＳにおける第１のセットのワイヤレスデバイスに第３のパケットを送信するのと同時に、前記第１のパケットを送信するようにさらに構成される、Ｃ３７に記載の装置。
［Ｃ５０］
前記第１のパケットおよび前記第３のパケットの送信の時間をスケジュールするように構成されたプロセッサをさらに備える、Ｃ４９に記載の装置。
［Ｃ５１］
前記送信機は、前記第１のパケットと前記第２のパケットとを同時に送信するようにさらに構成される、Ｃ３７に記載の装置。
［Ｃ５２］
前記送信機は、第１の時間に前記第１のパケットを送信し、前記第１の時間の後の第２の時間に前記第２のパケットを送信するようにさらに構成される、Ｃ３７に記載の媒体。
［Ｃ５３］
前記第１のサブセットのワイヤレスデバイスは、前記２次周波数チャネルを介して通信するように構成されていない、Ｃ３７に記載の媒体。